Podtech/llm-jp-corpus-v4-ja_patent huggingface dataset:
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
スキャンレンズを有するレーザ加工システムを用いてワークピースを加工する方法であって、
第１のレーザエネルギービームを非円形である第１の形状を有する第１のワークピース上のスポットに照射して前記第１のワークピースを加工し、
前記加工では、前記第１のワークピースに複数のフィーチャを形成し、前記複数のフィーチャのうちの１つを形成している間の前記スキャンレンズと前記第１のワークピースとの間の第１の距離は、前記複数のフィーチャのうちの他の１つを形成している間の前記スキャンレンズと前記第１のワークピースとの間の第２の距離とは異なり、
前記複数のフィーチャのうち、前記第１の形状に最も似た形状を有するフィーチャを決定し、
プロセス距離を、前記第１の形状に最も似た形状を有する前記フィーチャを形成している間の前記スキャンレンズと前記第１のワークピースとの間の距離として設定し、
像平面を前記スキャンレンズから前記レーザエネルギービームが伝搬する前記経路に直交する平面に向かう前記プロセス距離にある平面として決定し、
前記第１のワークピース又は第２のワークピースの面を少なくとも実質的に前記像平面に配置し、
第２のレーザエネルギービームを前記第１の形状とは異なる第２の形状を有する前記面上のスポットに照射して前記像平面に配置された前記ワークピースの前記面を加工する、
方法。
【請求項２】
前記第２の形状は、円形である、請求項１の方法。
【請求項３】
前記第１の形状は、楕円形、正方形、矩形、三角形、三日月形、半円形、アルベロス形状、星形からなる群より選択される１つである、請求項１の方法。
【請求項４】
前記複数のフィーチャのうち、前記第１の形状に最も似た形状を有するフィーチャを決定する際に、さらに、
前記複数のフィーチャの画像を取り込み、前記取り込まれた画像を表す画像データを生成し、
前記画像データをコントローラに送信し、
前記コントローラにより前記画像データを処理する、
請求項１の方法。
【請求項５】
さらに、前記画像の取り込みではカメラを用いる、請求項４の方法。
【請求項６】
基板をレーザ加工するための装置であって、
レーザ源と、
レーザエネルギービームが伝搬する経路に直交する平面で見た場合にビームの焦点で非円形外縁形状を有する第１の空間強度分布により特徴付けられる第１のレーザエネルギービームを前記レーザ源の光出力から生成するように適合され、前記第１の空間強度分布とは異なる第２の空間強度分布により特徴付けられる変調レーザエネルギービームを形成するために、第２のレーザエネルギービームを生成するように適合されたビームイメージングシステムと、
スキャンレンズと、
ワークピースを支持するように適合されたワークピースポジショナとを備え、
前記ワークピースポジショナから前記スキャンレンズに向かって直交する距離は可変であり、
前記ワークピースに形成されたフィーチャの画像を取り込み、前記取り込んだ画像を表す画像データを生成するように適合されたカメラと、
前記カメラ、前記ワークピースポジショナ、及びビームイメージングシステムと通信可能に接続されたコントローラと
を備え、
前記コントローラは、
前記フィーチャが前記第１の空間強度分布の形状に十分似ている形状を有しているかを決定するために前記画像データを処理し、
前記フィーチャの形状が前記第１の空間強度分布の形状に十分似ている場合に、
前記スキャンレンズと前記ワークピースとの間の距離としてプロセス距離を設定し、
前記プロセス距離にワークピースの表面を配置するように前記ワークピースポジショナの動作を制御し、
第２のレーザエネルギービームを前記レーザ源の光出力から生成するように前記ビームイメージングシステムの動作を制御する
ように構成される、
装置。
【請求項７】
レーザエネルギービームが照射されるプロセススポットの位置を前記ワークピースポジショナに対して変化させるように適合されたビームポジショナをさらに備える、請求項６の装置。
【請求項８】
前記ビームイメージングシステムは、アパーチャホイール、アイリス絞り、光学スリット、空間光変調器、及びマスクからなる群から選択される少なくとも１つのイメージング要素を含む、請求項６の装置。
【請求項９】
前記ビームイメージングシステムは、回折光学要素を含む、請求項６の装置。
【手続補正２】
【補正対象書類名】明細書
【補正対象項目名】００３９
【補正方法】変更
【補正の内容】
【００３９】
さらに他の実施形態においては、レーザ加工システム100は、ビームポジショナ106、スキャンレンズ110などの１以上の構成要素が１以上の補助ポジショナ（図示せず）により位置決めされる分割軸位置決めシステムを用いることができる。そのような実施形態においては、ビームポジショナ106、ワークピースポジショナ108、スキャンレンズ110などの１以上の構成要素を移動させるように１以上の直動ステージ又は回転ステージが配置及び構成され、ワークピースポジショナ108は、ワークピース101を移動するように配置及び構成される。レーザ加工システム100において有益に又は有利に用いることが可能な分割軸位置決めシステムの例としては、米国特許第5,751,585号、第5,798,927号、第5,847,960号、第6,706,999号、第7,605,343号、第8,680,430号、第8,847,113号、又は米国特許出願公開第2014/0083983号に開示されたもののいずれか、あるいはこれらを任意に組み合わせたものが挙げられる。これらの公報のそれぞれは、参照によりその全体が本明細書に組み込まれる。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
蝸牛刺激システムであって、
音声入力信号を受信するための信号入力と、
前記音声入力信号に基づき複数のマルチチャンネルサラウンドサウンド蝸牛刺激信号を生成するように前記信号入力に結合されているマルチチャンネル蝸牛コンバータと、を備える蝸牛刺激システム。
【請求項２】
複数のマルチチャンネル蝸牛刺激電極をさらに備え、前記電極の各々はユーザへの取付け用に構成されており、前記マルチチャンネルサラウンドサウンド蝸牛刺激信号のうちの１つを受信するように結合されている、請求項１に記載の蝸牛刺激システム。
【請求項３】
前記マルチチャンネル蝸牛コンバータは少なくとも前方蝸牛刺激信号と、左方蝸牛刺激信号と、右方蝸牛刺激信号とを生成し、
前記マルチチャンネル蝸牛刺激電極は、前記前方蝸牛刺激信号、前記左方蝸牛刺激信号、および前記右方蝸牛刺激信号をそれぞれ受信するように結合されている、少なくとも前方刺激電極、左方刺激電極、および右方刺激電極を備える、請求項２に記載の蝸牛刺激システム。
【請求項４】
前記蝸牛コンバータは、中央前方刺激信号、左前方刺激信号および右前方刺激信号のうちの１つ以上を有する前記前方蝸牛刺激信号を生成し、
前記前方刺激電極は中央前方電極、左前方電極および右前方電極のうちの１つ以上を備える、請求項３に記載の蝸牛刺激システム。
【請求項５】
前記蝸牛コンバータは、左後方刺激信号および右後方刺激信号のうちの１つ以上を有する前記刺激信号を生成し、
前記刺激電極は左後方電極および右後方電極のうちの１つ以上を備える、請求項４に記載の蝸牛刺激システム。
【請求項６】
前記音声入力信号はマルチチャンネルサラウンドサウンドフォーマットの信号である、請求項１に記載の蝸牛刺激システム。
【請求項７】
マルチチャンネルサラウンドサウンド音声信号を生成するように、前記信号入力と前記マルチチャンネル蝸牛コンバータとの間に結合されているサラウンドサウンド信号シンセサイザをさらに備える、請求項１に記載の蝸牛刺激システム。
【請求項８】
前記蝸牛刺激電極をユーザに固定するように構成されているマウントデバイス、随意ではストラップをさらに備える、請求項２に記載の蝸牛刺激システム。
【請求項９】
周囲ノイズ信号を受信するためのマイクロフォン入力と、
前記周囲ノイズ信号に基づきサウンドキャンセリング信号を生成するように、前記マイクロフォン入力と前記蝸牛コンバータとの間に結合されているサウンドキャンセリングプロセッサと、をさらに備え、
前記蝸牛コンバータは前記サウンドキャンセリング信号に基づき前記サラウンドサウンド蝸牛刺激信号を生成する、請求項１に記載の蝸牛刺激システム。
【請求項１０】
前記サウンドキャンセリング信号は前記音声入力信号と足し合わされる音声信号である、請求項９に記載の蝸牛刺激システム。
【請求項１１】
前記サウンドキャンセリング信号は制御信号である、請求項９に記載の蝸牛刺激システム。
【請求項１２】
前記マイクロフォン入力はマルチチャンネル周囲ノイズ信号を受信するためのマルチチャンネル入力であり、
前記サウンドキャンセリングプロセッサはマルチチャンネルサウンドキャンセリング信号を生成する、請求項９に記載の蝸牛刺激システム。
【請求項１３】
制御装置をさらに備え、前記制御装置は随意で音量制御を備える、請求項１に記載の蝸牛刺激システム。
【請求項１４】
前記蝸牛コンバータに結合されているドライバをさらに備える、請求項１に記載の蝸牛刺激システム。
【請求項１５】
前記蝸牛コンバータは両耳間レベル差を有するマルチチャンネル刺激信号を生成する、請求項１に記載の蝸牛刺激システム。
【請求項１６】
前記蝸牛コンバータは両耳間時間差を有するマルチチャンネル刺激信号を生成する、請求項１５に記載の蝸牛刺激システム。
【請求項１７】
前記蝸牛コンバータは変化する両耳間レベル差および両耳間時間差を有するマルチチャンネル刺激信号を生成する、請求項１６に記載の蝸牛刺激システム。
【請求項１８】
前記蝸牛コンバータは両耳間時間差を有するマルチチャンネル刺激信号を生成する、請求項１に記載の蝸牛刺激システム。
【請求項１９】
蝸牛および神経刺激システムであって、
音声入力信号を受信するための信号入力、
マルチチャンネル周囲ノイズ信号を受信するためのマルチチャンネルマイクロフォン入力、
前記音声入力信号に基づきマルチチャンネルサラウンドサウンド蝸牛および神経刺激信号を生成するように前記信号入力に結合されているマルチチャンネル蝸牛コンバータであって、前記刺激信号は両耳間レベル差と両耳間時間差とのうちの一方または両方を備える、マルチチャンネル蝸牛コンバータ、および
前記周囲ノイズ信号に基づきマルチチャンネルサウンドキャンセリング信号を生成するように、前記マイクロフォン入力と前記蝸牛コンバータとの間に結合されているサウンドキャンセリングプロセッサであって、前記蝸牛コンバータは前記サウンドキャンセリング信号に基づき前記サラウンドサウンド蝸牛および神経刺激信号を生成する、サウンドキャンセリングプロセッサと、
複数のマルチチャンネル蝸牛および神経刺激電極であって、前記電極の各々はユーザへの取付け用に構成されており、前記マルチチャンネルサラウンドサウンド蝸牛および神経刺激信号のうちの１つを受信するように結合されている、電極と、を備える、蝸牛および神経刺激システム。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
創傷被覆材装置であって、
創傷に接触して位置決めされるよう構成された創傷接触層と、
前記創傷接触層の上の第１エリアであって、
下側スペーサ層と、
吸収層と、を含む第１エリアと、
複数のスペーサ層と、前記複数のスペーサ層内又はその間に位置決めされた陰圧源及び／又は電子構成要素とを含む、前記創傷接触層の上の第２エリアであって、前記第１エリアが前記第２エリアに隣接して位置決めされ、仕切りによって分離された第２エリアと、
前記第１エリア及び前記第２エリアを覆い、前記仕切り周りで前記第１エリアと前記第２エリアとの間を空気が連通することができるよう構成された上側スペーサ層と、
前記創傷接触層と、前記上側スペーサ層と、前記第１エリアと、前記第２エリアとを覆い、その上で封止を形成するよう構成されたカバー層と、を備える、創傷被覆材装置。
【請求項２】
前記第２エリアにおける前記複数のスペーサ層が、前記陰圧源及び／又は電子構成要素の下の第３スペーサ層と、前記陰圧源及び／又は電子構成要素の上に位置決めされた第４スペーサ層とを備え、前記第４スペーサ層が、前記陰圧源及び／又は電子構成要素を受容するよう構成された１つ又は複数の切り欠き部又は凹部を備える、請求項１に記載の創傷被覆材装置。
【請求項３】
前記仕切りが、非多孔質ダムを備える、請求項１に記載の創傷被覆材装置。
【請求項４】
ユーザが前記陰圧源及び／又は電子構成要素を操作できるよう構成された、１つ又は複数のユーザインターフェース構成要素をさらに備える、請求項１に記載の創傷被覆材装置。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
ユーザに電気的刺激を提供するためのシステムであって、前記システムは、
刺激プログラムの実行に応答して電気パルスを発生するよう構造的に構成されたパルス発生装置と、
前記パルス発生装置と通信する１つ以上のパッドであって、前記１つ以上のパッドは、前記ユーザに取り付くよう、かつ、前記電気パルスを伝達して前記刺激プログラムに従って前記ユーザを刺激するよう構造的に構成されている、パッドと、
プロセッサと、
非一時的コンピュータ可読媒体内で具体化される非一時的コンピュータ実行可能コードを格納するメモリであって、前記非一時的コンピュータ実行可能コードは、前記プロセッサにより実行されるときに、コンピュータに、
前記ユーザに関する情報を取得することと、
前記ユーザに関する情報を解析することと、
前記情報の解析に基づいて前記ユーザのための調製済み刺激プログラムを生成することと、
前記パルス発生装置および前記１つ以上のパッドで前記調製済み刺激プログラムを実行することと、
を行わせる、メモリと、
を備える、システム。
【請求項２】
前記ユーザに関する情報を取得することは、１つ以上のアプリケーションプログラムインターフェース（ＡＰＩ）を介して１つ以上のアプリケーションプログラムと通信することを備える、請求項１に記載のシステム。
【請求項３】
前記１つ以上のアプリケーションプログラムは、健康関連のアプリケーションプログラムおよびフィットネス関連のアプリケーションプログラムのうちの１つ以上を含む、請求項２に記載のシステム。
【請求項４】
前記ユーザに関する情報を取得することは、前記ユーザにより利用されるサードパーティ製装置と通信することを備える、請求項１に記載のシステム。
【請求項５】
サーバによりホストされ、かつ、刺激プログラムを管理するためのウェブベースのユーザインターフェースを含む電子プラットフォームをさらに備える、請求項１に記載のシステム。
【請求項６】
前記ウェブベースのユーザインターフェースは、ユーザが刺激プログラムを作成または操作することを許可する、請求項５に記載のシステム。
【請求項７】
前記ユーザにより作成された刺激プログラムは、１人以上の異なるユーザにより取得可能である、請求項６に記載のシステム。
【請求項８】
前記ウェブベースのユーザインターフェースは、前記ユーザによる選択のために複数の刺激プログラムへのアクセスを提供する、請求項５に記載のシステム。
【請求項９】
前記ユーザのための調製済み刺激プログラムを生成することは、複数の異なる刺激プログラムから前記調製済み刺激プログラムを選択することを含む、請求項１に記載のシステム。
【請求項１０】
前記複数の異なる刺激プログラム内の刺激プログラムは、刺激周波数、パルス幅、デューティサイクル・パラメータ、上昇および下降値、およびバーストパルス・パラメータのうちの少なくとも１つにおいて異なる、請求項９に記載のシステム。
【請求項１１】
前記複数の異なる刺激プログラム内の刺激プログラムは、下垂足支援プログラム、リハビリテーション・プログラム、回復プログラム、リラクセーション・プログラム、および改善性能プログラムのうちの１つ以上を含む、請求項９に記載のシステム。
【請求項１２】
前記ユーザに関する情報は、前記ユーザの場所を含む、請求項１に記載のシステム。
【請求項１３】
前記ユーザに関する情報は、前記ユーザの活動を含む、請求項１に記載のシステム。
【請求項１４】
前記ユーザに関する情報は、前記ユーザの生理学的測定結果を含む、請求項１に記載のシステム。
【請求項１５】
前記ユーザに関する情報は、前記ユーザの重量および前記ユーザのボディマス指数（ＢＭＩ）のうちの１つ以上に少なくとも部分的に基づく前記ユーザの健康状態を含む、請求項１に記載のシステム。
【請求項１６】
ユーザに電気的刺激を提供するためのシステムであって、前記方法は、
前記ユーザに関する情報を取得するために、１つ以上のアプリケーションプログラムインターフェース（ＡＰＩ）を介して１つ以上のアプリケーションプログラムと通信することと、
前記ユーザに関する情報を解析することと、
前記情報の解析に基づいて前記ユーザのための調製済み刺激プログラムを生成することと、
前記調製済み刺激プログラムを実行することであって、前記調製済み刺激プログラムを実行することは、
前記調製済み刺激プログラムに従ってパルス発生装置で電気パルスを発生することと、
前記ユーザに取り付けられ、かつ、前記パルス発生装置と通信する１つ以上のパッドに前記電気パルスを伝達し、それにより、前記調製済み刺激プログラムに従って前記ユーザを刺激することと、
を備えることと、
を備える、方法。
【請求項１７】
前記調製済み刺激プログラムを実行する前に、前記調製済み刺激プログラムに関する情報を前記ユーザに推奨事項として送信することと、
前記ユーザから前記調製済み刺激プログラムを実行する確認を受信することと、
をさらに備える、請求項１６に記載の方法。
【請求項１８】
前記調製済み刺激プログラムを実行するに先立ち、かつ前記調製済み刺激プログラムを生成した後に、前記ユーザから前記調製済み刺激プログラムの選択を受信することをさらに備える、請求項１６に記載の方法。
【請求項１９】
評価のために前記調製済み刺激プログラムを記録することをさらに備える、請求項１６に記載の方法。
【請求項２０】
ユーザを刺激するための電気刺激装置であって、前記電気刺激装置は、
中央本体であって、
プロセッサと、
非一時的コンピュータ可読媒体内で具体化される非一時的コンピュータ実行可能コードを格納するメモリであって、前記非一時的コンピュータ実行可能コードは、前記プロセッサにより実行されるときに、コンピュータに刺激プログラムを実行させる、メモリと、
前記刺激プログラムに応答して電気パルスを発生するよう構造的に構成されたパルス発生装置と、
前記中央本体の外部表面上でアクセス可能なユーザインターフェースであって、前記ユーザインターフェースは、前記刺激プログラムの状態に影響を及ぼすよう構成された作動可能機構を備える、ユーザインターフェースと、
を備える、中央本体と、
前記中央本体と通信する１つ以上のパッドであって、前記１つ以上のパッドは、前記ユーザに取り付くよう、かつ、前記電気パルスを伝達して前記刺激プログラムの状態に従って前記ユーザを刺激するよう構造的に構成されている、パッドと、
を備える、電気刺激装置。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
高コレステロール血症に罹患している患者を処置するための医薬組成物であって、ここで、該患者は、標準的な脂質修飾治療での処置に非応答性であるか、標準的な脂質修飾治療での処置による制御が不十分であるか、または標準的な脂質修飾治療での処置に不耐性であり、アンジオポエチン様タンパク質３（ＡＮＧＰＴＬ３）の阻害剤と組み合わせたプロタンパク質転換酵素サブチリシン／ケキシン９型（ＰＣＳＫ９）阻害剤を含む前記医薬組成物。
【請求項２】
高コレステロール血症は、ヘテロ接合性家族性高コレステロール血症（ＨｅＦＨ）またはホモ接合性家族性高コレステロール血症（ＨｏＦＨ）である、請求項１に記載の医薬組成物。
【請求項３】
ＰＳＣＫ９阻害剤は、ＰＣＳＫ９に特異的に結合する抗体またはその抗原結合断片である、請求項１に記載の医薬組成物。
【請求項４】
ＰＣＳＫ９抗体は、約７５ｍｇの用量で２週間に１回の頻度で患者に投与される、請求項３に記載の医薬組成物。
【請求項５】
ＰＣＳＫ９抗体は、約１４０ｍｇの用量で２週間に１回の頻度で患者に投与される、請求項３に記載の医薬組成物。
【請求項６】
ＰＣＳＫ９抗体は、約１５０ｍｇの用量で２週間に１回または４週間に１回の頻度で患者に投与される、請求項３に記載の医薬組成物。
【請求項７】
ＰＣＳＫ９抗体は、約３００ｍｇの用量で４週間に１回の頻度で患者に投与される、請求項３に記載の医薬組成物。
【請求項８】
ＰＣＳＫ９抗体は、約４２０ｍｇの用量で４週間に１回の頻度で患者に投与される、請求項３に記載の医薬組成物。
【請求項９】
ＰＣＳＫ９抗体は、アリロクマブ、エボロクマブ、ボコシズマブ、ロデルシズマブおよびラルパンシズマブからなる群から選択される、請求項３〜８のいずれか１項に記載の医薬組成物。
【請求項１０】
抗体はアリロクマブである、請求項３〜９のいずれか１項に記載の医薬組成物。
【請求項１１】
ＰＣＳＫ９に特異的に結合する抗体またはその抗原結合断片は、配列番号１２のアミノ酸配列を有する重鎖可変領域（ＨＣＶＲ）の相補性決定領域（ＣＤＲ）および配列番号１７のアミノ酸配列を有する軽鎖可変領域（ＬＣＶＲ）のＣＤＲを含む、請求項３〜１０のいずれか１項に記載の医薬組成物。
【請求項１２】
ＰＣＳＫ９に特異的に結合する抗体またはその抗原結合断片は、配列番号１３のアミノ酸配列を有する重鎖ＣＤＲ１（ＨＣＤＲ１）、配列番号１４のアミノ酸配列を有するＨＣＤＲ２、配列番号１５のアミノ酸配列を有するＨＣＤＲ３、配列番号１８のアミノ酸配列を有する軽鎖ＣＤＲ１（ＬＣＤＲ１）、配列番号１９のアミノ酸配列を有するＬＣＤＲ２、および配列番号２１のアミノ酸配列を有するＬＣＤＲ３を含む、請求項３〜１１のいずれか１項に記載の医薬組成物。
【請求項１３】
ＰＣＳＫ９に特異的に結合する抗体またはその抗原結合断片は、配列番号１２のアミノ酸配列を有するＨＣＶＲおよび配列番号１７のアミノ酸配列を有するＬＣＶＲを含む、請求項３〜１２のいずれか１項に記載の医薬組成物。
【請求項１４】
ＰＣＳＫ９抗体は、患者に皮下または静脈内投与される、請求項３に記載の医薬組成物。
【請求項１５】
ＡＮＧＰＴＬ３阻害剤は、ＡＮＧＰＴＬ３に特異的に結合する抗体またはその抗原結合断片である、請求項１に記載の医薬組成物。
【請求項１６】
ＡＮＧＰＴＬ３抗体は、約１５０ｍｇの用量で１週間に１回の頻度で患者に投与される、請求項１５に記載の医薬組成物。
【請求項１７】
ＡＮＧＰＴＬ３抗体は、約３００ｍｇの用量で１週間に１回の頻度で患者に投与される、請求項１５に記載の医薬組成物。
【請求項１８】
ＡＮＧＰＴＬ３抗体は、約４５０ｍｇの用量で１週間に１回の頻度で患者に投与される、請求項１５に記載の医薬組成物。
【請求項１９】
ＡＮＧＰＴＬ３抗体は、約３００ｍｇの用量で２週間に１回の頻度で患者に投与される、請求項１５に記載の医薬組成物。
【請求項２０】
ＡＮＧＰＴＬ３抗体は、約４５０ｍｇの用量で２週間に１回の頻度で患者に投与される、請求項１５に記載の医薬組成物。
【請求項２１】
ＡＮＧＰＴＬ３抗体は、約２０ｍｇ／ｋｇの用量で４週間に１回の頻度で患者に投与される、請求項１５に記載の医薬組成物。
【請求項２２】
ＡＮＧＰＴＬ３抗体はエビナクマブである、請求項１５〜２１のいずれか１項に記載の医薬組成物。
【請求項２３】
ＡＮＧＰＴＬ３に特異的に結合する抗体またはその抗原結合断片は、配列番号２のアミノ酸配列を有する重鎖可変領域（ＨＣＶＲ）の相補性決定領域（ＣＤＲ）および配列番号３のアミノ酸配列を有する軽鎖可変領域（ＬＣＶＲ）のＣＤＲを含む、請求項１５〜２２のいずれか１項に記載の医薬組成物。
【請求項２４】
ＡＮＧＴＬ３に特異的に結合する抗体またはその抗原結合断片は、配列番号４のアミノ酸配列を有する重鎖ＣＤＲ１（ＨＣＤＲ１）、配列番号５のアミノ酸配列を有するＨＣＤＲ２、配列番号６のアミノ酸配列を有するＨＣＤＲ３、配列番号７のアミノ酸配列を有する軽鎖ＣＤＲ１（ＬＣＤＲ１）、配列番号８のアミノ酸配列を有するＬＣＤＲ２、および配列番号９のアミノ酸配列を有するＬＣＤＲ３を含む、請求項１５〜２３のいずれか１項に記載の医薬組成物。
【請求項２５】
ＡＮＧＰＴＬ３に特異的に結合する抗体またはその抗原結合断片は、配列番号２のアミノ酸配列を有するＨＣＶＲおよび配列番号３のアミノ酸配列を有するＬＣＶＲを含む、請求項１５〜２４のいずれか１項に記載の医薬組成物。
【請求項２６】
ＡＮＧＰＴＬ３抗体は、患者に皮下または静脈内投与される、請求項１５に記載の医薬組成物。
【請求項２７】
ＰＣＳＫ９阻害剤とＡＮＧＰＴＬ３の阻害剤との組合せを用いて処置することにより、患者において、次のパラメータのうちの１つまたはそれ以上を低下させること：
（ａ）血清総コレステロール（ＴＣ）レベルの低減；
（ｂ）血清低密度リポタンパク質コレステロール（ＬＤＬ−Ｃ）レベルの低減；および
（ｃ）血清非高密度リポタンパク質コレステロール（非ＨＤＬ−Ｃ）レベルの低減
をもたらし、ここで、（ａ）、（ｂ）および／または（ｃ）の低減は、ＰＣＳＫ９阻害剤とＡＮＧＰＴＬ３阻害剤との組合せを用いる処置の前または開始時の患者の血清ＴＣレベル、血清ＬＤＬ−Ｃレベルおよび／または血清非ＨＤＬ−Ｃレベルと比較して判定される、請求項１〜２６のいずれか１項に記載の医薬組成物。
【請求項２８】
高コレステロール血症に罹患している患者を処置するための医薬の製造における、アンジオポエチン様タンパク質３（ＡＮＧＰＴＬ３）の阻害剤と組み合わせたプロタンパク質転換酵素サブチリシン／ケキシン９型（ＰＣＳＫ９）阻害剤の使用であって、該患者は、標準的な脂質修飾治療での処置に非応答性であるか、標準的な脂質修飾治療での処置による制御が不十分であるか、または標準的な脂質修飾治療での処置に不耐性である前記使用。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
以下の構造式を有するジカルボン酸を含む化合物であって、
【化１】
2019512475.tif 000001
ここで、Ｘは、アシル、カルボン酸、エステル、ハロゲン、フルオロメチル、−ＣＮ、スルホニル、スルホン、スルホン酸、一級アンモニウム、二級アンモニウム、三級アンモニウム、または−ＮＯ２であり、ｍは１から１０の整数であり、ｎは１から１０の整数である、化合物。
【請求項２】
以下の構造式を有するジカルボン酸を含む化合物であって、
【化２】
2019512475.tif 000002
ここで、Ｘは、アシル、カルボン酸、エステル、ハロゲン、フルオロメチル、−ＣＮ、スルホニル、スルホン、スルホン酸、一級アンモニウム、二級アンモニウム、三級アンモニウム、または−ＮＯ２であり、Ｙ及びＺは、独立して水素又はＣ１〜Ｃ１０アルキル基であり、ｍは１から１０の整数であり、ｎは１から１０の整数である、化合物。
【請求項３】
以下の構造式を有するジカルボン酸を含む化合物であって、
【化３】
2019512475.tif 000003
ここで、Ｘは電子求引性基であり、Ｙ及びＺは、独立して水素又はＣ１〜Ｃ１０アルキル基であり、ｐ及びｔはそれぞれ１から１０の整数であり、ｓは不存在又は１から１０の整数であり、ｒは１の整数である、化合物。
【請求項４】
前記ＸがＮＯ２である、請求項１に記載の化合物。
【請求項５】
前記ＸがＮＯ２である、請求項２に記載の化合物。
【請求項６】
前記ＸがＮＯ２である、請求項３に記載の化合物。
【請求項７】
前記ｍが２であり、前記ｎが１である、請求項１に記載の化合物。
【請求項８】
前記ｍが２であり、前記ｎが１である、請求項２に記載の化合物。
【請求項９】
前記ＹがＣ１−Ｃ３アルキルであり、前記ＺがＣ１−Ｃ３アルキルである、請求項１に記載の化合物。
【請求項１０】
前記Ｙがメチル基またはエチル基であり、前記Ｚがメチル基またはエチル基である、請求項２に記載の化合物。
【請求項１１】
前記ＸがＣＮ、Ｃｌ、Ｂｒ、またはＦである、請求項１から請求項３のいずれか１つに記載の化合物。
【請求項１２】
前記ＸがＮＯ２である請求項７または請求項８のいずれか１つに記載の化合物。
【請求項１３】
請求項１から請求項１２のいずれか１つに記載の疾病の治療用化合物であって、
前記疾病が、臓器線維症、炎症性疾患、循環器疾患、腎疾患、腎不全、虚血性腎障害、急性腎疾患（ＡＫＩ）、慢性腎障害  （ＣＫＩ）、慢性腎疾患（ＣＫＤ）、糖尿病性腎障害、腎線維症，巣状分節性糸球体硬化症（ＦＳＧＳ）、非アルコール性脂肪性肝炎（ＮＡＳＨ）、脂肪肝、肺動脈性肺高血圧症（ＰＡＨ）、肺線維症、アレルギー性気道疾患、肥満、抗脂肪生成性疾患、２型糖尿病、鎌状赤血球症、鎌状赤血球発症、特発性肺線維症（ＩＰＦ）、炎症性胃腸疾患、大腸炎、潰瘍性大腸炎、神経変性疾患、筋萎縮性側索硬化症（ＡＬＳ）、メタボリックシンドローム、神経障害、シャルコー・マリー・トゥース病、並びにその他ミトコンドリアの異常によって発症する疾病である、治療用化合物。
【請求項１４】
治療的に有効な量の化合物を含む、請求項１から請求項１２のいずれか１つに記載の医薬組成物。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
式（Ｉ）による環状フルオロ化合物であって：
【化１】
2019512490.tif 000001
式中、
Ｌは、Ｏ、ＣＨ２又は共有結合であり、
Ｘは、Ｆ又はＣＦ３から選択され、Ｙは、Ｈ、Ｆ又はＣＦ３から選択され、ＸがＣＦ３であるとき、ＹはＦであり、ＹがＣＦ３であるとき、ＸはＦであり、
各Ｒｆ１は、１〜８個の炭素原子を含み、かつＯ、Ｎ又はこれらの組み合わせから選択される少なくとも１つの連結された原子を任意選択により含む、直鎖又は分枝鎖のペルフルオロアルキル基から独立して選択されるか、２つのＲｆ１基は、一緒に結合して、４〜８個の炭素原子を含み、かつＯ、Ｎ又はこれらの組み合わせから選択される少なくとも１つの連結された原子を任意選択により含む、フルオロ環構造を形成し、
−ＣＦＺ−ＣＨＡＱ基は、前記環の少なくとも１つのＯ原子に対してαである環炭素に結合し、
Ａは、Ｆ又はＣＦ３から選択され、
Ｚは、Ｈ、Ｆ又はＣＦ３から選択され、
Ｑは、（ｉ）Ｆ原子、（ｉｉ）Ｃｌ原子、（ｉｉｉ）１〜８個の炭素原子を含み、かつＯ、Ｎ若しくはこれらの組み合わせから選択される少なくとも１つの連結された原子を任意選択により含む、直鎖、環状若しくは分枝鎖のペルフルオロアルキル基、又は（ｉｖ）Ｇ（Ｒｆ２）ｅ基（式中、Ｇは、Ｏ原子又はＮ原子である）から選択され、
ＱがＣｌ原子であるとき、Ｚ及びＡはＦ原子であり、
ＧがＯであるとき、ｅは１であり、ＺはＨ、Ｆ又はＣＦ３であり、ＡはＦであり、Ｒｆ２は１〜１０個の炭素原子を含み、かつＯ、Ｎ又はこれらの組み合わせから選択される少なくとも１つの連結された原子を任意選択により含む、直鎖又は分枝鎖のペルフルオロアルキル基であり、
ＧがＮであるとき、ｅは２であり、各Ｒｆ２基は、独立して、１〜８個の炭素原子を含み、かつＯ、Ｎ又はこれらの組み合わせから選択される少なくとも１つの連結された原子を任意選択により含む、直鎖又は分枝鎖のペルフルオロアルキル基であるか、２つのＲｆ２基は、一緒に結合して、４〜８個の炭素原子を含み、かつＯ、Ｎ又はこれらの組み合わせから選択される少なくとも１つの連結された原子を任意選択により含む、フルオロ環構造を形成し、ただし、ＡがＣＦ３であるとき、ＺはＦであり、ＺがＣＦ３であるとき、ＡはＦである、
環状フルオロ化合物。
【請求項２】
ＱがＮ（Ｒｆ１）２である、請求項１に記載の環状フルオロ化合物。
【請求項３】
Ｎ（Ｒｆ１）２がペルフルオロモルホリン基である、請求項１又は２に記載の環状フルオロ化合物。
【請求項４】
Ｑが４個未満の炭素原子を含むペルフルオロアルキル基である、請求項１に記載の環状フルオロ化合物。
【請求項５】
Ｘ及びＹが両方ともＦである、請求項１〜４のいずれか一項に記載の環状フルオロ化合物。
【請求項６】
Ａ及びＺが両方ともＦである、請求項１〜５のいずれか一項に記載の環状フルオロ化合物。
【請求項７】
前記不飽和フルオロ化合物が、以下の化合物：
【化２】
2019512490.tif 000002
【化３】
2019512490.tif 000003
【化４】
2019512490.tif 000004
及びこれらの組み合わせのうちの少なくとも１つを含む、請求項１〜６のいずれか一項に記載の環状フルオロ化合物。
【請求項８】
請求項１〜７のいずれか一項に記載の環状フルオロ化合物の使用であって、前記環状フルオロ化合物が洗浄組成物中にある、使用。
【請求項９】
請求項１〜７のいずれか一項に記載の環状フルオロ化合物の使用であって、前記環状フルオロ化合物が電解質溶媒又は添加剤である、使用。
【請求項１０】
請求項１〜７のいずれか一項に記載の環状フルオロ化合物の使用であって、前記環状フルオロ化合物が熱伝達流体である、使用。
【請求項１１】
請求項１〜７のいずれか一項に記載の環状フルオロ化合物の使用であって、前記環状フルオロ化合物が気相はんだ付け流体である、使用。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
マグネシウムアダマンタンカルボキシレート塩を調製するための方法であって、
マグネシウム塩と、少なくとも１つのカルボン酸部分を有するダイヤモンドイド化合物とを混合して、反応混合物を形成する工程であって、前記マグネシウム塩がＭｇ（ＯＨ）２を有するものである、工程と、
１００℃〜２００℃の反応温度で少なくとも１２時間の反応時間の間、前記反応混合物を水熱処理して、前記マグネシウムアダマンタンカルボキシレート塩を形成する工程と、
を含む、方法。
【請求項２】
前記マグネシウム塩及び前記ダイヤモンドイド化合物が、０．５：１〜１．０：１の前記反応混合物中のＭｇ２＋対ダイヤモンドイド化合物の比を提供する量で混合される、請求項１に記載の方法。
【請求項３】
前記ダイヤモンドイド化合物が、１−アダマンタンカルボン酸である、請求項１に記載の方法。
【請求項４】
前記反応温度が、１００℃〜１８０℃である、請求項１に記載の方法。
【請求項５】
前記反応温度が、１４０℃〜１６０℃である、請求項１に記載の方法。
【請求項６】
前記マグネシウムアダマンタンカルボキシレート塩が、層状形態を含む、請求項１に記載の方法。
【請求項７】
前記層状形態が、辺と面の接続を欠く複数の層を含む、請求項６に記載の方法。
【請求項８】
前記層状形態が、それぞれ５００超のアスペクト比を有する複数の層を含む、請求項６に記載の方法。
【請求項９】
ナノ複合材を調製するための方法であって、
マグネシウムアダマンタンカルボキシレート塩を、空気中で、２００℃超の分解温度で少なくとも１時間の分解時間の間、加熱することにより、該マグネシウムアダマンタンカルボキシレート塩を熱分解して、前記ナノ複合材を形成する工程、
を含み、
前記マグネシウムアダマンタンカルボキシレート塩が、
Ｍｇ（ＯＨ）２を有するマグネシウム塩と、少なくとも１つのカルボン酸部分を有するダイヤモンドイド化合物とを混合して、反応混合物を形成する工程と、
１００℃〜２００℃の反応温度で少なくとも１２時間の反応時間の間、前記反応混合物を水熱処理して、前記マグネシウムアダマンタンカルボキシレート塩を形成する工程と、によって調製される、方法。
【請求項１０】
前記分解温度が、少なくとも４５０℃である、請求項９に記載の方法。
【請求項１１】
前記分解時間が、少なくとも４時間である、請求項９に記載の方法。
【請求項１２】
前記ナノ複合材が、炭素担持体上に分散された酸化マグネシウム粒子を含む、請求項９に記載の方法。
【請求項１３】
前記ナノ複合材が、微孔性シートの形態を含む、請求項９に記載の方法。
【請求項１４】
（ａ）マグネシウムアダマンタンカルボキシレート塩であって、
Ｍｇ（ＯＨ）２を有するマグネシウム塩と、少なくとも１つのカルボン酸部分を有するダイヤモンドイド化合物とを混合して、反応混合物を形成することと、
１００℃〜２００℃の反応温度で少なくとも１２時間の反応時間の間、前記反応混合物を水熱処理して、前記マグネシウムアダマンタンカルボキシレート塩を形成することと、によって調製された、マグネシウムアダマンタンカルボキシレート塩、
（ｂ）ナノ複合材であって、
前記（ａ）のマグネシウムアダマンタンカルボキシレート塩を、空気中で、２００℃超の分解温度で少なくとも１時間の分解時間の間、加熱することにより、該マグネシウムアダマンチンカルボキシレート塩を熱分解して、前記ナノ複合材を形成することによって調製された、ナノ複合材、または
（ｃ）（ａ）及び（ｂ）の混合物、
を含む、触媒系。
【誤訳訂正書】
【提出日】令和1年12月10日(2019.12.10)
【誤訳訂正１】
【訂正対象書類名】明細書
【訂正対象項目名】００１１
【訂正方法】変更
【訂正の内容】
【００１１】
最後に、本発明は、赤色で不透明な多結晶セラミックスの製造方法であって、
（ａ）クロム陽イオンを０．５〜０．８ｍｏｌ％、マグネシウム陽イオンを０．０４〜０．１２ｍｏｌ％、そして、アルミナの形態のアルミニウム陽イオンを残りの量含有する粉末形態の混合物を形成するステージと、
（ｂ）前記粉末を研削するステージと、
（ｃ）凝集体を得るように、研削された前記粉末のアトマイゼーション（微粉化）を行うステージと、
（ｄ）グリーン体を得るように前記凝集体を成形するステージと、
（ｅ）当該多結晶セラミックスを得るように前記グリーン体をセラミックスに転換させるステージと
を有する方法に関する。
【誤訳訂正書】
【提出日】令和2年11月10日(2020.11.10)
【誤訳訂正１】
【訂正対象書類名】特許請求の範囲
【訂正対象項目名】全文
【訂正方法】変更
【訂正の内容】
【特許請求の範囲】
【請求項１】
５−エチル−４−メチル−Ｎ−［４−［（２Ｓ）モルホリン−２−イル］フェニル］−１Ｈ−ピラゾール−３−カルボキサミドである、式Ｉ：
【化１】
2019512469.tif 000001
で示される化合物、又はその薬学的に好適な酸付加塩。
【請求項２】
５−エチル−４−メチル−Ｎ−［４−［（２Ｓ）モルホリン−２−イル］フェニル］−１Ｈ−ピラゾール−３−カルボキサミドである、請求項１に記載の式Ｉ：
【化２】
2019512469.tif 000002
で示される化合物。
【請求項３】
化合物が５−エチル−４−メチル−Ｎ−［４−［（２Ｓ）モルホリン−２−イル］フェニル］−１Ｈ−ピラゾール−３−カルボキサミドである、請求項１に記載の式Ｉ：
【化３】
2019512469.tif 000003
で示される化合物の薬学的に好適な酸付加塩。
【請求項４】
請求項１〜３のいずれか１項に記載の化合物を製造するためのプロセスであって、
ａ）式３：
【化４】
2019512469.tif 000004
［式中、ＰＧは、−Ｃ（Ｏ）Ｏ−tert−ブチル（ＢＯＣ）である］
で示される化合物からＮ保護基（ＰＧ）を開裂して、式Ｉ：
【化５】
2019512469.tif 000005
で示される化合物にすること、及び、所望により、
ｂ）得られた式Ｉで示される化合物をその薬学的に許容し得る酸付加塩に変換すること
を含む、プロセス。
【請求項５】
請求項１〜３のいずれか１項に記載の化合物と薬学的に許容し得る賦形剤とを含む医薬組成物。
【請求項６】
鬱病、不安障害、双極性障害、注意欠陥多動性障害（ＡＤＨＤ）、ストレス関連障害、統合失調症、パーキンソン病、アルツハイマー病、てんかん、片頭痛、高血圧、薬物乱用、中毒、摂食障害、糖尿病、糖尿病合併症、肥満、脂質異常症、エネルギーの消費及び同化の障害、体温恒常性の障害及び機能不全、睡眠及び概日リズムの障害、並びに心血管障害を処置するための請求項５に記載の医薬組成物。
【請求項７】
鬱病を処置するための請求項５に記載の医薬組成物。
【請求項８】
双極性障害を処置するための請求項５に記載の医薬組成物。
【請求項９】
統合失調症を処置するための請求項５に記載の医薬組成物。
【請求項１０】
薬物乱用を処置するための請求項５に記載の医薬組成物。
【請求項１１】
中毒を処置するための請求項５に記載の医薬組成物。
【請求項１２】
摂食障害を処置するための請求項５に記載の医薬組成物。
【請求項１３】
糖尿病を処置するための請求項５に記載の医薬組成物。
【請求項１４】
請求項１〜３のいずれか１項に記載の化合物を含む経口医薬製剤であって、錠剤、コーティング錠、糖衣錠、硬及び軟ゼラチンカプセル剤、液剤、乳剤ならびに懸濁剤からなる群より選択される形態である経口医薬製剤。
【誤訳訂正２】
【訂正対象書類名】明細書
【訂正対象項目名】０００８
【訂正方法】変更
【訂正の内容】
【０００８】
したがって、式Ｉで示される化合物は、鬱病、不安障害、双極性障害、注意欠陥多動性障害（ＡＤＨＤ）、ストレス関連障害、統合失調症のような精神障害、パーキンソン病のような神経疾患、アルツハイマー病のような神経変性障害、てんかん、片頭痛、高血圧（hypertension）、中毒、薬物乱用、並びに摂食障害、糖尿病、糖尿病合併症、肥満、脂質異常症のような代謝障害、エネルギーの消費及び同化の障害、体温恒常性の障害及び機能不全、睡眠及び概日リズムの障害、並びに心血管障害を処置するための安全な薬物として使用され得る。
【誤訳訂正３】
【訂正対象書類名】明細書
【訂正対象項目名】００１１
【訂正方法】変更
【訂正の内容】
【００１１】
長い間、ＴＡ特異的受容体は、ヒト及び他の哺乳動物のＣＮＳにおける解剖学的に離散した高親和性ＴＡ結合部位に基づいて、仮説として取り上げられていただけであった［１０、１１］。したがって、ＴＡの薬理作用には、古典的な生体アミンの放出を誘発するか、それらの再取り込みを阻害するかによって、又はそれらの受容体系と「交差反応」するかのいずれかによって、古典的な生体アミンの周知の機構が介在すると考えられていた［９、１２、１３］。この見解は、ＧＰＣＲの新しいファミリーである微量アミン関連受容体（ＴＡＡＲ）の幾つかのメンバーの同定により、大きく変化した［７、１４］。ヒトには９個のＴＡＡＲ遺伝子（３個の偽遺伝子を含む）があり、マウスには１６個の遺伝子（１個の偽遺伝子を含む）がある。ＴＡＡＲ遺伝子はイントロンを含まず（ＴＡＡＲ２は１個のイントロンを含むという１つの例外を除いて）、そして、同じ染色体セグメント上に互いに隣接して位置する。レセプター遺伝子の系統発生的関係は、ＧＰＣＲのファーマコフォア類似性の詳細な比較、及び薬理学的データに一致して、これらのレセプターが３つの異なるサブファミリーを形成することを示唆している［７、１４］。ＴＡＡＲ１は、ヒトと齧歯類との間で高度に保存された４つの遺伝子（ＴＡＡＲ１〜４）の最初のサブクラスにある。ＴＡは、Ｇαを介してＴＡＡＲ１を活性化する。ＴＡの調節異常は、鬱病、不安障害、双極性障害、注意欠陥多動性障害（ＡＤＨＤ）、ストレス関連障害、統合失調症のような精神障害、パーキンソン病のような神経疾患、アルツハイマー病のような神経変性障害、てんかん、片頭痛、高血圧、中毒、薬物乱用、並びに摂食障害、糖尿病、糖尿病合併症、肥満、脂質異常症のような代謝障害、エネルギーの消費及び同化の障害、体温恒常性の障害及び機能不全、睡眠及び概日リズムの障害、並びに心血管障害のような種々の疾患の病因に寄与することが明らかになった。
【誤訳訂正４】
【訂正対象書類名】明細書
【訂正対象項目名】０１１７
【訂正方法】変更
【訂正の内容】
【０１１７】
したがって、表１のデータの全てを考慮して、式Ｉで示される化合物（実施例１）は、ヒトにおけるＴＡＡＲ１関連障害を処置するための、特に、鬱病、不安障害、双極性障害、注意欠陥多動性障害（ＡＤＨＤ）、ストレス関連障害のような慢性ＣＮＳ障害、統合失調症のような精神障害、パーキンソン病のような神経疾患、アルツハイマー病のような神経変性障害、てんかん、片頭痛、高血圧、薬物乱用、中毒、並びに摂食障害、糖尿病、糖尿病合併症、肥満、脂質異常症のような代謝障害、エネルギーの消費及び同化の障害、体温恒常性の障害及び機能不全、睡眠及び概日リズムの障害、並びに心血管障害を治療するための、安全かつ有効な治療剤としての意図された使用のための全体的に最も好ましい化合物である。最も好ましい障害は、統合失調症、双極性障害又は鬱病である。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
以下の式を有する化合物：
Ｂ−Ｗ−Ｘ−Ｙ−Ｚ
式中、
Ｂは以下からなる群から選択されるＣＡ  ＩＸ標的化分子であり；
【化１】
2019512500.tif 000001
2019512500.tif 000002
2019512500.tif 000003
上記式中、ｎは０、１、２、３、．．．であり、ｍは０、１、２、３、４、５．．．であり、ｐは０、１、２、３、．．．である、
Ｗは伸長された疎水性残基であり、好ましくは疎水性アミノ酸又は疎水性部分であり；
Ｘは正電荷、負電荷、可変的電荷、又は中性電荷を有する疎水性スペーサであり；
Ｙはアミノ酸スペーサであり；及び
Ｚは正電荷、負電荷、可変的電荷、又は中性電荷を有するＮＩＲ色素である。
【請求項２】
Ｗが荷電されている、またはアラニン、ロイシン、イソロイシン、バリン、プロリン、フェニルアラニン、トリプトファン、メチオニン、チロシン、アルギニン、ヒスチジン、リシン、グリシン、セリン、トレオニン、システイン、チロシン、アスパラギン、アスパラギン酸、グルタミン酸、及びグルタミン、並びにそれらの誘導体からなる群から選択される、請求項１に記載の化合物。
【請求項３】
Ｘが７個〜１４個の原子の長さである、請求項１に記載の化合物。
【請求項４】
Ｘが、以下：からなる群から選択される、請求項１に記載の化合物：
正に荷電したアミノ酸を損なうペプチド、アミノ酸を含有する４級アミン、６個のアミノヘクタン酸（ｈｅｃｔａｎｏｉｃ  ａｃｉｄ）（ＳＡＨＡ）、８個のアミノオクトン酸（ｏｃｔｏｎｏｉｃ  ａｃｉｄ）（ＥＡＯＡ）、ポリエチレングリコール（ＰＥＧ）、ポリエチレンアミン（ＰＥＡ）単位、Ｎ−アミノ−ｄＰＥＧ２酸、６個の原子の鎖、長さが６個の原子のスペーサ、長さが６〜２０個の原子の鎖；アリール又はアリールアルキル基を含むペプチド（それぞれ場合により置換され、一方のアリール又はアリールアルキル基が約６〜約１０個又は約６〜約１４個の原子であり、他方のアリール又はアリールアルキル基が約１０〜約１４個、または約１０〜約１５個、又は約１個〜約２０個の原子である）。
【請求項５】
Ｙが、芳香族アミノ酸又はそれらの誘導体、水素同位体を有する芳香族環を有するアミノ酸、アスパラギン酸、グルタミン酸、アルギニン、ヒスチジン、リシン、グリシン、セリン、トレオニン、システイン、チロシン、アスパラギン、グルタミン、アラニン、ロイシン、イソロイシン、バリン、プロリン、フェニルアラニン、トリプトファン、メチオニン、カルコゲン含有側鎖基を有するアミノ酸スペーサ、硫黄含有側鎖基を有するアミノ酸スペーサ、硫黄含有チオフェノール部分を有するアミノ酸スペーサ、及び芳香族環上に炭素同位体を有するチロシン、並びにそれらの誘導体からなる群から選択される、請求項１に記載の化合物。
【請求項６】
Ｚが、ＬＳ２８８、ＩＲ８００、ＳＰ０５４、Ｓ０１２１、ＫＯＤＡＫ、Ｓ２０７６、Ｓ０４５６、
【化２】
2019512500.tif 000004
2019512500.tif 000005
からなる群から選択される、請求項１に記載の化合物
（式中、Ｒ４１、Ｒ４２、Ｒ４３、Ｒ４４、Ｒ４５、Ｒ４６、Ｒ４７、Ｒ４８がＨ又はＳＯ３Ｈであり；Ｘ＝Ｏ、Ｓ、又はＮである。）
【請求項７】
Ｂは、
【化３】
2019512500.tif 000006
であり（式中、ｎは０であり、ｍは５であり、ｐは２である。）；
Ｗは、ＥＡＯＡ、ＰＥＧ、及びＰＥＡからなる群から選択され；
Ｘは、ＥＡＯＡ、ＰＥＧ、及びＰＥＡからなる群から選択され；
Ｙは、チロシン、フェニルアラニン−チロシン、フェニルアラニン−アルギニン−チロシン、及びヒスチジン−チロシンからなる群から選択され；
ＺはＳ０４５６を含む、請求項１に記載の化合物。
【請求項８】
以下の構造式を有する化合物又はその薬学的に許容される塩若しくはその同位体：
【化４】
2019512500.tif 000007
式中、
Ｒ１９は水素又はＳＯ３Ｈを表し；
Ｒ２０は、水素、ＣＨ３、Ｃ３Ｈ６ＳＯ３−、Ｃ３Ｈ６ＳＯ３Ｈ、又はＣ４Ｈ８ＳＯ３−、又はＣ４Ｈ８ＳＯ３Ｈ、又はＣ３Ｈ６Ｎ＋（ＣＨ３）３を表し；
Ｒ２１は、炭素、場合により１以上の共有結合を表し、
Ｒ２２は、場合により１以上の共有結合を有する炭素を表し；
Ｒ２３は、窒素、酸素、又は硫黄、あるいは芳香族環とビニル環との間の無原子直接Ｃ−Ｃ結合を表し；
Ｒ２４は任意であり、存在する場合、輝度及びビニルエーテル架橋の安定性の増加等のスペクトル特性を向上させる芳香族置換基を表し；
Ｒ２５は任意であり、存在する場合、Ｐｈｅ、Ｔｒｐ、Ｈｉｓ、又はまたはそれらの誘導体等の芳香族アミノ酸；Ａｒｇ、Ｌｙｓ、又はそれらの誘導体等のカチオン性アミノ酸；Ａｓｐ、Ｇｌｕ、又はそれらの誘導体等のアニオン性アミノ酸；芳香族／カチオン／アニオン酸又はそれらの誘導体の非天然アミノ酸を有する連結体を表し；
Ｒ２６は任意であり、存在する場合、直鎖状炭素鎖、又はポリエチレングリコール連結体、カチオン性連結体、又はそれらの誘導体を表し；
Ｒ２７は任意であり、存在する場合、Ｐｈｅ、Ｖａｌ、Ｌｅｕ、Ｉｌｅ、Ｔｒｐ、Ｈｉｓ、Ａｒｇ、Ｌｙｓ、Ａｓｐ、Ｇｌｕ、又はそれらの誘導体等の疎水性部分を表し；
Ｒ２８は疎水性連結体であり；並びに
Ｒ２９は任意であり、存在する場合、Ｆ、ＮＯ２、又はそのような分子のような、結合親和性、安定性、疎水性を向上させるための芳香族置換基を表し；Ｒ３０は任意であり、存在する場合、Ｐｈｅ、Ｖａｌ、Ｌｅｕ、Ｉｌｅ、Ｔｒｐ、Ｈｉｓ、又はそれらの誘導体等の疎水性部分又は環状部分、例えばシクロヘキシル、シクロオクチル、又はそれらの誘導体を表す。
【請求項９】
以下からなる群から選択される化合物：
【化５】
2019512500.tif 000008
2019512500.tif 000009
2019512500.tif 000010
2019512500.tif 000011
2019512500.tif 000012
2019512500.tif 000013
2019512500.tif 000014
2019512500.tif 000015
2019512500.tif 000016
【請求項１０】
前記化合物が、約５００ｎｍ〜約９００ｎｍの間の吸収及び発光極大値を有する、請求項１〜９のいずれか１項に記載の化合物。
【請求項１１】
前記化合物が、近赤外波長の励起光に供されることによって、組織細胞中でのその分配後に蛍光を発するように調製される、請求項１に記載の化合物。
【請求項１２】
前記化合物が、Ｃ−ＳＰＡの結合親和性と同様の炭酸脱水酵素ＩＸに対する結合親和性を有し、且つ腫瘍細胞への標的化に対して高度に選択的である、請求項１に記載の化合物。
【請求項１３】
前記化合物が、成分Ｘ又はＷ−Ｘ−Ｙで構成される連結体を含む、請求項１に記載の化合物。
【請求項１４】
前記連結体が少なくとも約６個の原子の長さであるか、約６〜約２０個の原子の長さであるか、又は少なくとも約１０オングストローム（Å）の長さである、請求項１３に記載の化合物。
【請求項１５】
請求項１〜９のいずれか１項に記載の化合物を含むキット。